(57)【要約】【課題】衛生的で、処理作業が容易で、さらに、室内犬が、真っ暗闇の中でも正確な場所に排泄することのできる糞尿処理具を提供する。【解決手段】柔軟な防水シート３の上に、柔軟な液体吸収シート４を固着してシート体２を形成し、中央部の排泄箇所２ａを囲んで夜光体６をエンドレスなループ状に配置する。液体吸収シート４は吸水性に富むので、室内犬の尿の全てを吸収することができ、衛生的である。また、便を処理する場合は、防水シート３を含めたシート体２でくるむので衛生的である。また、その際、液体吸収シート４を防水シート３から分離する必要がないので処理作業が容易である。さらに、夜光材６を設けているので、室内犬が真っ暗闇の中でも排泄箇所２ａを容易に視認することができ、よって、排泄箇所２ａに正確に排泄することができる。【選択図】図１
0003113148.tif 000002
【実用新案登録請求の範囲】
【請求項１】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、前記排泄箇所（２ａ）をループ状に囲む夜光体（６）を配置してなる室内犬の糞尿処理具。
【請求項２】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、前記排泄箇所（２ａ）をループ状に囲む夜光体（６）を柔軟液体吸収シート（４）の上面に配置してなる室内犬の糞尿処理具。
【請求項３】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、前記排泄箇所（２ａ）をループ状に囲む夜光体（６）を透光性柔軟液体吸収シート（４）の下面に配置してなる室内犬の糞尿処理具。
【請求項４】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、中央部に排泄箇所指示用透穴（５ａ）を有すると共に該透穴（５ａ）を囲んで夜光体（６）をエンドレスなループ状に設置したところのカバーシート（５）を前記シート体（２）上に載置してなる室内犬の糞尿処理具。
【請求項５】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、前記排泄箇所（２ａ）をループ状に囲む夜光体（６）を配置し、シート体（２）の下に敷く補助マット（１０）の上面に前記排泄箇所（２ａ）に対応する凹部（１１）を形成してなる室内犬の糞尿処理具。
【請求項６】
室内に設置される室内犬の糞尿処理具であって、中央部を排泄箇所（２ａ）とする柔軟液体吸収シート（４）を柔軟な防水シート（３）上に重ね固着してシート体（２）を形成すると共に、
前記シート体（２）の下に敷く補助マット（１０）の上面に前記排泄箇所（２ａ）に対応する部分を囲むようにして夜光体（６）を配置し、
前記シート体（２）に、前記夜光体（６）を上から視認するための視認孔部（２ｂ）を複数穿設してなる室内犬の糞尿処理具。
【考案の詳細な説明】
【技術分野】
【０００１】
本考案は、室内に設置して、室内犬の糞尿を衛生的かつ容易に処理するための処理具に関するものである。
【背景技術】
【０００２】
マルチーズやプードルなどの主として室内で飼育される各種の室内犬は、一般に、夜、室内で運動し、早朝に排泄する。また、その量は小型犬の場合は、少量である。また、室内犬は、子犬のときに躾をすることによって、同一場所で排泄をするようになる。
【０００３】
こうしたことから、通常、室内犬の排泄場所を、所定の床上に防水シートを敷き、その上に新聞紙を置いて設けている場合が多い。この上に排泄された尿は、新聞紙で吸収させ、便は、当該新聞紙でくるんで捨てて処理している。
【考案の開示】
【考案が解決しようとする課題】
【０００４】
しかし、こうした従来の方法では、新聞紙が尿を完全に吸収することができないので不衛生である。また、便を処理する場合、新聞紙を防水シートから離し、当該新聞紙のみで糞尿をくるむので衛生的ではない。さらに、その際、新聞紙を防水シートから離す作業を必要とするので、その処理作業が面倒である。また、夜中などにおいて、排泄場所が真っ暗闇の場合は、室内犬が誤って新聞紙の周囲に糞尿をする場合もある。
【０００５】
本考案はこうした問題に鑑み創案されたもので、衛生的で、処理作業が容易で、さらに、室内犬が、真っ暗闇の中でも正確な場所に排泄することのできる糞尿処理具を提供することを課題とする。
【課題を解決するための手段】
【０００６】
請求項１の考案を、図１〜図６を参考にして説明する。室内に設置される室内犬の糞尿処理具であって、中央部を排泄箇所２ａとする柔軟液体吸収シート４を柔軟な防水シート３上に重ね固着してシート体２を形成すると共に、前記排泄箇所２ａをループ状に囲む夜光体６を配置してなるものである。
【０００７】
請求項２の考案を、図１・図２を参考にして説明する。室内に設置される室内犬の糞尿処理具であって、中央部を排泄箇所２ａとする柔軟液体吸収シート４を柔軟な防水シート３上に重ね固着してシート体２を形成すると共に、前記排泄箇所２ａをループ状に囲む夜光体６を柔軟液体吸収シート４の上面に配置してなるものである。
【０００８】
請求項３の考案を、図１・図３を参考にして説明する。室内に設置される室内犬の糞尿処理具であって、中央部を排泄箇所２ａとする柔軟液体吸収シート４を柔軟な防水シート３上に重ね固着してシート体２を形成すると共に、前記排泄箇所２ａをループ状に囲む夜光体６を透光性柔軟液体吸収シート４の下面に配置してなるものである。
【０００９】
請求項４の考案を、図１・図４〜図６を参考にして説明する。室内に設置される室内犬の糞尿処理具であって、中央部を排泄箇所２ａとする柔軟液体吸収シート４を柔軟な防水シート３上に重ね固着してシート体２を形成すると共に、中央部に排泄箇所指示用透穴５ａを有すると共に該透穴５ａを有すると共に該透穴５ａを囲んで夜光体６をエンドレスなループ状に設置したところのカバーシート５を前記シート体２上に載置してなるものである。
【００１０】
請求項５の考案を、図１・図７〜図１０を参考にして説明する。室内に設置される室内犬の糞尿処理具であって、中央部を排泄箇所２ａとする柔軟液体吸収シート４を柔軟な防水シート３上に重ね固着してシート体２を形成すると共に、前記排泄箇所２ａをループ状に囲む夜光体６を配置し、シート体２の下に敷く補助マット１０の上面に前記排泄箇所２ａに対応する凹部１１を形成してなるものである。
【００１１】
請求項６の考案を、図１１乃至図１３を参考にして説明する。これは、室内に設置される室内犬の糞尿処理具であって、中央部を排泄箇所２ａとする柔軟液体吸収シート４を柔軟な防水シート３上に重ね固着してシート体２を形成すると共に、前記シート体２の下に敷く補助マット１０の上面に前記排泄箇所２ａに対応する部分を囲むようにして夜光体６を配置し、前記シート体２に、前記夜光体６を上から視認するための視認孔部２ｂを複数穿設してなるものである。
【考案の効果】
【００１２】
請求項１〜請求項３の考案の室内犬の糞尿処理具１は、衛生的で、処理作業が容易で、さらに、室内犬が真っ暗闇の中でも排泄箇所２ａに正確に排泄することができる。
【００１３】
すなわち、液体吸収シート４は新聞紙と異なり吸水性に富むので、室内犬の尿の全てを吸収することができ、衛生的である。また、便を処理する場合は、液体吸収シート４のみではなく、防水シート３を含んだシート体２の全体でくるむので衛生的である。また、その際、液体吸収シート４を防水シート３から分離する作業を必要としないので処理作業が容易である。さらに、夜光材６を設けたことによって、室内犬が真っ暗闇の中でも排泄箇所２ａを容易に視認することができるので、排泄箇所２ａに正確に排泄することができる。
【００１４】
請求項４の考案は、請求項１〜請求項３の考案の効果に加え、カバーシート５を外してから、液体吸収シート４のみではなく、防水シート３を含んだシート体２の全体でくるむので衛生的である。
【００１５】
請求項５に記載の室内犬の糞尿処理具１は、請求項１に記載の考案と同様に、衛生的で、処理作業が容易であり、さらに、室内犬は真っ暗闇の中でも排泄箇所２ａに正確に排泄することができる。また、シート体２の排泄箇所２ａに、当該シート体２の下に敷く補助マット１０の凹部１１を形成したので、シート体２を補助マット１０上に載せ、排泄箇所２ａを凹部１１に向かって手で押下げれば、図９・図１０に示す如くシート体２が変形して排泄箇所２ａが若干下へ凹んだ状態に変形し、凹み７を形成するので、排泄された糞尿をその凹み７に留めることができる。従って、糞尿が周囲に飛散することがなく、より衛生的である。
【００１６】
請求項６に記載の室内犬の糞尿処理具は、請求項１に記載の考案と同様に、衛生的で処理作業が容易であり、さらに、室内犬は、夜光体６を視認孔部２ｂを透して上から視認することができるので、真っ暗闇の中でも排泄箇所２ａに排泄することができる。また、補助マット１０の上面に排泄箇所２ａに対応する部分を囲むようにして夜光材６を配置し、シート体２に、夜光材６を上から視認するための視認孔部２ｂを複数穿設したので、排泄後は、シート体２のみを交換するだけで、糞尿を処理することができる。このシート体２には夜光材６が設けられていないので、廉価であり、きわめて経済的である。なお、夜光材６を設けている補助マット１０は、繰り返し使用する。
【考案を実施するための最良の形態】
【００１７】
本発明に係る室内犬の糞尿処理具１の第１実施形態を、図１及び図２に示す。これは、室内の床に置かれるもので、柔軟な防水シート３の上に、柔軟な液体吸収シート４を接着してシート体２を形成し、中央部の排泄箇所を２ａ囲んで夜光体６をエンドレスなループ状に柔軟液体吸収シート４の上面側に配置している。エンドレスなループ状は、線、鎖線、点線等いずれでもよい。
【００１８】
本発明に係る室内犬の糞尿処理具の第２実施形態を図１及び図３に示す。図２の第１実施形態の柔軟液体吸収シート４を透光性のあるものに限定し、夜光体６を柔軟液体吸収シート４の下面側に設けたものである。
【００１９】
実施形態１及び実施形態２の糞尿処理具１において、液体吸収シート４は吸水性に富むので、室内犬の尿の全てを吸収することができ、衛生的である。また、便を処理する場合は、防水シート３を含めたシート体２でくるむので衛生的である。また、その際、液体吸収シート４を防水シート３から分離する必要がないので処理作業が容易である。さらに、夜光材６を設けているので、室内犬が真っ暗闇の中でも排泄箇所２ａを容易に視認することができ、よって、排泄箇所２ａに正確に排泄することができる。
【００２０】
本発明に係る室内犬の糞尿処理具１の第３実施形態を、図１・図４〜図６に示す。これは、室内の床に置かれるもので、柔軟な防水シート３の上に、柔軟な液体吸収シート４を接着してシート体２を形成し、中央に排泄箇所指示用透穴５ａを有すると共に該透穴５ａを囲んで夜光体６をエンドレスなループ状に上面側に設けたところの防水性で透明なカバーシート５を前記シート体２上に載置している。エンドレスなループ状は、線、鎖線、点線等いずれでもよい。
【００２１】
実施形態３の糞尿処理具１において、液体吸収シート４は吸水性に富むので、室内犬の尿の全てを吸収することができ、衛生的である。また、便を処理する場合は、カバーシート５を外してから防水シート３を含めたシート体２でくるむので衛生的である。また、その際、液体吸収シート４を防水シート３から分離する必要がないので処理作業が容易である。さらに、夜光材６を設けているので、室内犬が真っ暗闇の中でも排泄箇所２ａを容易に視認することができ、よって、排泄箇所２ａに正確に排泄することができる。
【００２２】
実施形態１〜実施形態４の糞尿処理具１は、図７および図８に示すように、上面中央部に凹部１１を有する補助マット１０の上に敷き、図９又は図１０に示す如く排泄箇所をその凹部１１に押込んで、シート体２に凹み７を形成した状態で使用する。こうすることによって、凹み７に排泄された糞尿がそこに留まり、周囲に飛散しないので、より衛生的である。
【００２３】
なお、本考案における発光材６は特に限定されるものではなく、例えば、粉末状のものを溶剤で溶かし、シート体２の上面に塗布するものでも良く、また、テープ状のものを任意の大きさに切断して、シート体２の上面に貼着するものでも良い。ちなみに、本実施形態では、発光性に富み、放射性物質を含まない発光材（「ルミノーバ」（商品名））を使用している。
【００２４】
また、本考案における液体吸収シート４も特に限定されるものではなく、例えば、不織布、高吸水性ポリマーあるいは天然パルプ等によって形成したものを使用することができる。さらに、防水シート３も限定されず、例えば、防水加工を施したフィルムを使用することができる。更には、シート体２の端部は平坦でもよく、また耳を立てて形成してもよい。
【００２５】
本考案に係る室内犬の糞尿処理具１の第５実施形態を、図１１乃至図１３に示す。当該糞尿処理具１の特徴は、シート体２の下に敷く補助マット１０の上面に、シート体２の中央部に形成した排泄箇所２ａに対応する部分を囲むようにして６個の夜光体６を配置し、シート体２に、当該夜光体６を上から視認するための視認孔部２ｂを６個穿設している。
【００２６】
なお、視認孔部２ｂの数は特に限定されず、排泄箇所２ａを確認できる数を形成する。また、夜光体６は、ボール状の蛍光材を埋設して形成しているが、これに代えて、シート状の蛍光材を貼着したり、粉末状のものを塗布することによって形成することができる。シート状や粉末状のものは、補助マット１０の排泄箇所２ａに対応する部分に、ループ状に連続的に形成することができる。なお、本実施形態では、補助マット１０の、排泄箇所２ａに対応する部分に凹部１１を形成しているが、凹部１１を形成しないものにも適用することができる。
【００２７】
この糞尿処理具１は、室内犬が、夜光体６を視認孔部２ｂを透して上から視認することができるので、暗闇の中でも排泄箇所２ａに正確に排泄することができる。また、排泄後は、シート体２のみを交換するだけで、糞尿を処理することができ、このシート体２には夜光材６が設けられていないので、廉価であり、きわめて経済的である。
【産業上の利用可能性】
【００２８】
本発明に係る糞尿処理具１は、室内犬のみでなく、同じく室内で飼育する猫などの小動物に対しても使用することができる。
【図面の簡単な説明】
【００２９】
【図１】本考案の原理的実施形態の斜視図である。
【図２】本考案の第１実施形態の縦断正面図である。
【図３】本考案の第２実施形態の縦断正面図である。
【図４】本考案の第３実施形態の一部切欠分解平面図である。
【図５】本考案の第３実施形態の縦断分解正面図である。
【図６】本考案の第３実施形態の縦断正面図である。
【図７】本考案の実施形態に使用する補助マットの平面図である。
【図８】本考案の実施形態に使用する補助マットの縦断正面図である。
【図９】第１実施形態と補助マットとの組立縦断正面図である。
【図１０】第３実施形態と補助マットとの組立縦断正面図である。
【図１１】本考案の第５実施形態におけるシート体を示す平面図である。
【図１２】本考案の第５実施形態を示す平面図である。
【図１３】図１２のＡ−Ａ線断面図である。
【符号の説明】
【００３０】
１        糞尿処理具
２        シート体
２ａ      排泄箇所
２ｂ      視認孔部
３        防水シート
４        液体吸収シート
５        カバーシート
５ａ      透穴
６        夜光材
７        凹み
１０      補助マット
１１      凹部
【図１】
0003113148.tif 000003
【図２】
0003113148.tif 000004
【図３】
0003113148.tif 000005
【図４】
0003113148.tif 000006
【図５】
0003113148.tif 000007
【図６】
0003113148.tif 000008
【図７】
0003113148.tif 000009
【図８】
0003113148.tif 000010
【図９】
0003113148.tif 000011
【図１０】
0003113148.tif 000012
【図１１】
0003113148.tif 000013
【図１２】
0003113148.tif 000014
【図１３】
0003113148.tif 000015